(57)【特許請求の範囲】
【請求項１】
アンダーカットを有する成形品を製造するための成形コアシステムであって、前記成形コアシステムは、前記コアシステムが完全に配置される第１の成形位置と、前記コアシステムが軸方向に引っ込んで第２の引込み位置に半径方向に縮小するように構成される第２の位置との間で操作可能な、複数の協働可能構成要素を含み、前記コアシステムが、軸方向に変位可能なコアピンと、前記コアピンの周囲に延在する少なくとも半径方向に変位可能なコアセグメントのうちの少なくとも１つを含み、前記コアシステムの外形が成形品の内面形状を補完し、前記コアセグメントが、動的セグメント部材の第１のグループおよび動的セグメント部材の第２のグループを含み、全部が前記コアピンの周りを囲んで周辺に延在しており、前記コアシステムの外表面が、前記成形品の中空の内空洞の表面に適合し、前記動的セグメント部材の第１のグループが、前記コアシステムの中心軸に向かう方向に半径方向に移動するように構成され、他方、前記動的セグメント部材の第２のグループが、前記コアシステムの中心軸に向かう方向に半径方向に移動し、さらに、前記コアピンの引込み方向と反対の方向に軸方向に移動するように構成され、前記コアピンの上端は、前記成形品の中空の内空洞の底面側に対応する、成形コアシステム。
【請求項２】
前記コアピンが第１の軸方向に変位可能であり、前記コアセグメントのうちの少なくとも１つが反対の第２の軸方向への軸方向変位に対してさらに構成される、請求項１に記載の成形コアシステム。
【請求項３】
前記コアセグメントのうちの少なくとも１つが、前記第２の軸方向に半径方向および軸方向に同時に変位される、請求項１に記載の成形コアシステム。
【請求項４】
前記システムが複数のコアセグメントを含む、請求項１乃至３のいずれか１項に記載の成形コアシステム。
【請求項５】
前記外形の形状が、物品の開口部の直径よりも広い／長い、その最大直径を有する、請求項１乃至４のいずれか１項に記載の成形コアシステム。
【請求項６】
前記コアピンが、そのキャップとベースの間に、その長さに沿って一定の半径を有する、請求項１乃至５のいずれか１項に記載の成形コアシステム。
【請求項７】
前記コアピンが、前記コアシステムから第１の軸方向に、前記コアシステムの中心軸と平行に、少なくとも一部引込み可能である、請求項１乃至６のいずれか１項に記載の成形コアシステム。
【請求項８】
前記コアピンが、その軸方向に引っ込むと、それによって占められていた容積空間が空いたままになるように、前記コアシステムから完全に引込み可能である、請求項１乃至６のいずれか１項に記載の成形コアシステム。
【請求項９】
中央コアの周囲に延在する少なくとも半径方向に変位可能なコアセグメントのうちの２つ以上が、前記コアシステムの中心軸への半径方向変位のために構成された動的セグメント部材の少なくとも１つのグループを含む、請求項１乃至８のいずれか１項に記載の成形コアシステム。
【請求項１０】
前記動的セグメント部材のグループの少なくとも１つが、前記第１の軸方向へのコアピン移動の軸方向の反対方向に軸方向変位可能である、請求項９に記載の成形コアシステム。
【請求項１１】
前記第２のグループの軸方向への半径方向移動および軸方向移動が同時に結合動作で実行され、前記第１のグループが前記第２のグループよりも迅速に移動する、請求項１乃至１０のいずれか１項に記載の成形コアシステム。
【請求項１２】
前記コアピンが円筒状であり、前記コアセグメントが球状リングのセグメントであって前記コアピンの周囲に延在するように、前記コアピンおよび前記コアセグメントが、１つのベースを有する球体セグメントを一緒に形成し、そのため、前記コアおよび前記球体セグメントの中心軸が一致する、請求項１乃至１１のいずれか１項に記載の成形コアシステム。
【請求項１３】
成形品を製造するための射出成形型であって、前記射出成形型は、前記成形品の少なくとも一部の外形に対応する型穴を有するセグメント化された型ベース、および前記成形品の外形の残りに対応する空洞を有する型カバーを含み、前記セグメント化された型ベースが、半径方向に摺動可能な型セグメントを含み、前記射出成形型が、請求項１乃至１２のいずれか１項に記載の成形コアシステムをさらに含む、射出成形型。
【請求項１４】
前記コアシステムが完全に配置された構成にあり、型摺動セグメントが、前記型穴の連続した内表面を一緒に形成する、第１の注入位置、および、前記型摺動セグメントが半径方向に変位されて間隔が空き、前記コアシステムが徐々に軸方向に引っ込んで、第２の引込み位置に半径方向に縮小するように構成される、第２の成形位置で、前記射出成形型が操作可能である、請求項１３に記載の射出成形型。
【発明の詳細な説明】
【技術分野】
【０００１】
本開示の主題は、射出成形プロセスに関連した、型およびコア要素に関し、具体的には、本開示の主題は、明瞭なアンダーカットを有する物品の射出成形で使用するための、動的コアシステムに関する。本開示の主題はさらに、明瞭なアンダーカットを有する物品に関連する。
【背景技術】
【０００２】
部品を成形するための組立式コアが当技術分野で知られており、例えば、ＵＳ２００６／０１８８６０２、ＵＳ２００９／０１１５２７７０に記述されている。ＵＳ２００６／０１８８６０２は、２スリーブ組立式コアを開示する。ＵＳ２００９／０１１５２７７０は、開口部に近い内部アンダーカットを有する中空状物品の射出成形用の組立式コアに対処する。
【発明の概要】
【課題を解決するための手段】
【０００３】
本開示の主題は、成形、例えば、射出成形において使用するための動的コアシステムを提供し、中空状物品を成形するために構成されていて、その開口部の幅は、物品の内表面の対向する側の間に延在するその物品の最大幅よりも実質的に狭い。本開示の主題はさらに、動的コアシステムを含む型に関する。本開示の主題によれば、明瞭な内部アンダーカットを有する射出成形された一体型品がさらに開示される。
【０００４】
本開示の主題によれば、コアシステムは、一緒に機能して、コアが完全に配置される第１の成形位置と、コアシステムが軸方向に引っ込んで、第２の引込み位置に半径方向に縮小するように構成される第２の位置との間で操作可能な、複数の協働可能構成要素から組み立てられる。第２の引込み位置は、本開示の主題による型から射出成形品を取り外すのを容易にする。
【０００５】
本開示の主題によるシステムは、軸方向に変位可能なコアピンおよび、中央コアの周囲に延在する少なくとも半径方向に変位可能なコアセグメントのうちの少なくとも１つを含み、コアシステムの外形は成形品の内面形状を実質的に補完する。本開示の主題の一実施形態によれば、本システムは複数のコアセグメントを含む。外形の形状は、球体、楕円体などから、直方体などの任意の多角形またはもっと複雑な形状までさまざまにでき、その最大直径、すなわち、２つの対壁間の最大距離が、その物品の開口部よりも実質的に広い／長い内表面空洞、例えば、球体の３／４もしくは球体の１セクターなどの少なくとも１つのベースを有する球帯、を画定する。
【０００６】
一実施形態によるコアピンは、そのキャップとベースとの間に、その長さに沿ってほぼ一定の半径を有する円筒であり得る。本開示の主題によれば、コアピンは、コアシステムの中心軸と平行に、第１の軸方向に、コアシステムから少なくとも一部引き込み可能である。特定の実施形態によれば、コアピンは、コアシステムから完全に引き込まれ、それにより、その軸方向に引き込まれると、それによって占められていた容積空間が空のままになる。
【０００７】
用語「容積空間（ｖｏｌｍｅｔｒｉｃ  ｓｐａｃｅ）」は、本明細書では、コアピンの外周によって境界される空間を指す。容積空間の外周は、実質的に、その寸法においてコアピンの外周形状に対応する。一実施形態によれば、コアピンは、円形断面を有し得、例えば、ほぼ円筒形状の場合、その容積空間は、コアの内接する円筒の容積空間であり、断面において、それはコアピンの全ての頂点を通る外接円である。本開示の主題の一実施形態によれば、外接円の半径は、コアピンの高さに沿ってほぼ一定のままであり、そのため、コアピンを囲んでいる円筒（周囲の円筒）の半径はほぼ一定の直径を有する。代替として、コアピンは、任意の多角形状を有し得、それによって画定される容積空間は、その全体的な外周によって画定されるものになるであろう。
【０００８】
本開示の主題の一実施形態によれば、中央コアの周囲に延在する少なくとも半径方向に変位可能なコアセグメントのうちの２つ以上は、コアシステムの中心軸方向への半径方向変位のために構成された動的セグメント部材（複数可）の少なくとも１つのグループを含む。本開示の主題によれば、グループの数は、少なくともｎ−１グループの総容積空間が、コアシステムの中心軸に向かって半径方向に変位された場合に、軸方向に引き込まれた際の、コアピンの容積空間、例えば、その外周によって画定される空間を越えない限り、１〜ｎまでさまざまに異なることができる。各グループは、上述の特別な関係が維持される限り、任意の数のセグメントを含むことができる。コアピンの直径対コアシステムの最大直径の比率が大きいほど、その空間内に受け入れることができる動的セグメントのグループ数が大きくなることが理解されるであろう。
【０００９】
本開示の主題の一実施形態によれば、動的セグメント部材のグループの少なくとも１つは、第１の軸方向へのコアピン移動の軸方向と反対方向にさらに軸方向に変位できる。
【００１０】
本開示の主題の特定の実施形態によれば、コアセグメントは動的セグメント部材の第１のグループおよび動的セグメント部材の第２のグループを含み、全部がコアピンの周りを囲んでほぼ周辺に延在している。コアシステムの外表面は、中空状物品の空洞の内表面に実質的に適合する。この例によれば、セグメント部材の第１のグループは、コアシステムの中心軸の方向に半径方向に移動するように構成され、他方、動的セグメント部材の第２のグループは、コアシステムの中心軸の方向に半径方向に移動し、さらに、コアピンの引込み方向と反対方向に軸方向に移動するように構成される。本開示の主題の一実施形態によれば、第２のグループの軸方向への半径方向移動および軸方向移動は、実質的に同時に、すなわち、結合動作で実行できる。両方のグループの移動は、同時に提供できるが、第１のグループは第２のグループよりも迅速に移動する。
【００１１】
セグメント部材のグループの数は、本明細書で上で示したように、２つ以上にできる。本開示の主題の一実施形態によれば、セグメント部材および／またはこれらを含むグループの数が多いほど、本開示の主題のシステムを使用して形成できる物品の開口部の直径は小さい。これは、コアシステムの設計に起因し、例えば、ピンがコアシステムおよびコアピンの中心軸に沿って第１の方向に引き込まれる場合に、コアセグメントがコアピンの移動に対して固定されたままになるようにピンおよびコアセグメントが設計されているので、コアピンが完全に引き込まれて、コアピンによって占められていた空間が空のままになる。二次セグメントの第１のグループは、中心軸の方向に半径方向に移動できる。本開示の主題によれば、グループは１〜ｍまでの任意の数の部材を含むことができるが、セグメント（複数可）によって占められる全空間は、実質的に、コアピンによって以前に占められていた容積空間を実質的に超えない。
【００１２】
本開示の主題に従った動的セグメント部材の第２のグループは、概ね、中心軸の方向に半径方向に移動し、同時に、コアピンの第１の軸方向と反対の第２の方向に軸方向に移動して、動的セグメント部材の第１のグループのほぼ上まで延在する。このようにして、物品を型から取り外すのを可能にする。
【００１３】
本開示の主題の一実施形態によれば、コアピンおよびコアセグメントは、１つのベースを有する球体セグメント（例えば、球体の３／４）を一緒に形成する。一実施形態によれば、コアピンは円筒状であり、二次コアセグメントは球状リングのセグメントであって、そのため、コアおよび球体の中心軸が一致する。コアピンは、そのキャップ部分において球状端部と共に構成でき、その長さの大部分に沿ってほぼ一定の半径を有する。コアセグメントは、コアの周囲に延在する。
【００１４】
コアシステムの操作中、コアピンは、コアピンの中心軸に沿って第１の軸方向に引き込まれ、コアセグメントは、コアピンの移動に対して固定されたままであり、コアピンがほぼ完全に引き込まれ、それによって占められていた空間が空になる。コアセグメントは、次いで、空き空間の中心軸の方向に半径方向に移動でき、それにより動的セグメント部材の少なくとも一部が空き空間内に移動する。この半径方向移動は、コアシステムの縮小を容易にし、従って、成形品の取り外しを容易にする。本開示の主題の一実施形態によれば、コアセグメントの少なくとも１つは、空き空間の中心軸に向かって半径方向に移動し、さらに、第１の方向と反対方向に軸方向に移動する。この半径方向移動および軸方向移動は、同時に、または連続して（例えば、内側移動および縦方向移動）実行でき、例えば、コアシステムの半径方向への縮小の後に第２のグループの軸方向移動が続く。
【００１５】
操作中、これは、射出成形された中空状物品を型から取り外し、それを成形コアシステムから取り外すのを可能にする。半径方向へ縮小した結果、本発明のコア組立体の最大直径が実質的に縮小して折り畳まれ、物品がそれから容易に取り外し可能になる。
【００１６】
各グループ内に交互に延在するセグメント部材の数は３つ以上にできる。
【００１７】
コアピンが先細になるか、または一様でない側壁を有するように、コアピンの半径は変化し得る。コアピンキャップは、物品の所望の形状に適合するように任意の所望の形状を有することができる。一例によれば、キャップは、コアシステムの半球形に適合するように丸くされる。別の例によれば、キャップは平たい端部を有することができる。キャップまたはセグメントの表面は、例えば、最終品の美的効果を形成するために、波形にすることができる。
【００１８】
コアピンの側壁は、概ね滑らかであり得るか、または代替として、システムの構成要素、例えば、二次コアセグメント、引込み機構など、と係合するために、その上に溝を含み得る。
【００１９】
装置は、コアセグメントの少なくとも一部を係合するための、溝などの、複数の係合部材を有するベース部材も含む。
【００２０】
コアセグメントは各々、ベース部材のそれぞれの係合部材と係合する、レールまたは突起などの、係合部材を有し得る。コアセグメントの係合部材およびベース部材の係合部材は、コアセグメント部材が半径方向および軸方向の両方に移動できるように構成される。
【００２１】
本開示の主題の別の実施形態によれば、成形品の少なくとも一部の外形に対応する型穴を有するセグメント化された型ベースおよびその品の残りの外形に対応する空洞を有する型カバーを含む射出成形型が提供される。セグメント化された型ベースは、半径方向に摺動可能な型セグメントを含む。型は、本開示の主題に従ったコアシステムをさらに含み、コアシステムが完全に配置される第１の成形位置と、コアシステムが軸方向に徐々に引っ込んで第２の引込み位置に半径方向に縮小するように構成される第２の位置との間で操作可能な、複数の協働可能構成要素を含み、コアシステムの外形は、成形品の内面形状を実質的に補完する。
【００２２】
本開示の主題の一実施形態に従った射出成形型は、成形品の少なくとも一部の外形に対応する型穴を有するセグメント化された型ベースおよびその品の残りの外形に対応する空洞を有する型カバーを含み、セグメント化された型ベースは、半径方向に摺動可能な型セグメントを含む。型は、軸方向に変位可能なコアピンおよびコアピンの周囲に延在する複数の少なくとも半径方向に変位可能なコアセグメントを含むコアシステムをさらに含み、コアシステムの外形が、成形品の内面形状を実質的に補完する。
【００２３】
本開示の主題の一実施形態によれば、射出成形型は、コアシステムが完全に配置された構成であって、型摺動セグメントが、型穴の連続した内表面を一緒に形成する、第１の注入位置、および型摺動セグメントが半径方向に変位されて間隔が空き、コアシステムが徐々に軸方向に引っ込んで、第２の引込み位置に半径方向に縮小するように構成される、第２の位置で操作可能である。
【００２４】
本開示の主題のさらに一態様によれば、物品の最大幅より実質的に狭い少なくとも１つの開口部を有するほぼ中空状物品を射出成形する方法が開示され、本方法は、
型ベース、型カバーを含む型を提供することであって、型ベースおよびカバー内に延在する空洞が物品の外表面およびそれを通って延在する中心縦軸を有する動的コアシステムに対応し、コアシステムが、少なくとも軸方向に変位可能なコアピンと少なくとも１つの半径方向に変位可能なコアセグメントとを含み、コアシステムの外表面が物品の内表面に対応する、型ベース、型カバーを含む型を提供することと、
溶融材料を型に注入することであって、コアシステムが完全に配置される位置にあるその第１の操作可能位置にコアシステムがあり、その位置で、コアシステムの外表面が中空状物品の内表面に対応するように、型カバーが型ベースを覆い、コアシステムがその間に延在し、型穴が、型ベースおよび型カバー上の周囲に延在する型穴によって画定される、溶融材料を型に注入することと、
型カバーを型ベースから取り外すことと、
コアシステムを第２の位置に移動することであって、そこで、コアシステムが軸方向に引っ込んで、第２の引込み位置に半径方向に縮小するように構成される、コアシステムを第２の位置に移動することと、
物品を型から取り外すことと
を含む。
【００２５】
一実施形態によれば、第２の位置において、コアピンは、軸方向に変位されて、物品の空洞から実質的に引っ込み、少なくとも１つのコアセグメントの少なくとも１つが中心軸に向かって半径方向に変位される。
【００２６】
この概要は、本開示の主題の本質が、特定の例に限定されることなく、大まかに理解できるように提供されている。例に関する以下の詳細な説明を添付の図面と併せて参照することにより、本発明のさらに完全な理解が得られる。
【００２７】
本明細書で開示する主題をより良く理解し、それが実際にはどのように実行され得るかを例示するために、ここで、添付の図面を参照して、限定されない例としてのみ、実施形態を記述する。
【図面の簡単な説明】
【００２８】
【図１】本開示の主題の一例に従った射出成形型を使用して形成された射出成形品の上面斜視図である。
【図２】本開示の主題に従った射出成形型組立体の、第１の操作位置における、上面斜視図である。
【図３】線Ｃ−Ｃに沿った、図２の組立体の断面図である。
【図４】カバー型部を型ベース部から取り外した、本開示の主題に従った射出組立体の上面斜視図である。
【図５】物品をその中に保持した、第１の操作位置における、型ベース部の上面斜視図である。
【図６Ａ】物品が示されていない、図５の型ベース部の上面斜視図である。
【図６Ｂ】型カバー部の空洞を示している、図４の組立体の底面斜視図である。
【図７Ａ】それぞれ、第１の位置および第２の、半径方向に移動した位置における、型摺動部材を有する型ベース部の上面図を示す。
【図７Ｂ】それぞれ、第１の位置および第２の、半径方向に移動した位置における、型摺動部材を有する型ベース部の上面図を示す。
【図８Ａ】図７Ｂの型ベース部の垂直断面図である。
【図８Ｂ】コアシステム支持摺動部が半径方向に引き込まれた、図８Ａのベース部を示す。
【図８Ｃ】コアピンが引込み位置にある図８Ｂのベース部を示す。
【図９Ａ】型ベース部が取り外されて、第１の完全に配置された位置にあり、コアピンが引込み位置にある、コアシステムを側面図で示す。
【図９Ｂ】型ベース部が取り外されて、第１の完全に配置された位置にあり、コアピンが引込み位置にある、コアシステムを側面図で示す。
【図１０】図８Ｃのベース型の上面斜視図である。
【図１１】コアセグメントの第１の部分が、コアシステムの中心軸に向かって半径方向に移動した、図１０のベース型を示す。
【図１２Ａ】コアセグメントの第２の部分が、コアシステムの中心軸に向かって半径方向に移動し、さらに軸方向に移動して、コアセグメントの第１の部分の上に延在する、図１１のベース型の上面斜視図である。
【図１２Ｂ】図１２Ａと似ているが、ベース型部摺動部材およびコアシステム移動部材が取り外されている。
【図１２Ｃ】図１１に見られるように、それらの第１の完全に配置された位置から、物品がその上にある、図１２Ｂの位置まで、コアセグメントの第２の部分の移動を示す。
【発明を実施するための形態】
【００２９】
まず、図１を参照すると、本開示の主題の一例に従い、一般に１００で指定される射出成形中空状物品が示されており、その物品は縦軸Ｘを有する。物品１００は中空半球であり、上面１１０および底面１２０を有し、内壁面Ｓで画定された空洞Ｃを有し、さらに外表面Ｏを有する。物品１００は、物品の縁１１２の平面に延在して、空洞Ｃの開口部を画定する、その上面１１０における球体ベースを含む。その物品の内壁面の２つの対向側間の最大直径がＤで示され、空洞開口部の直径はｄと示されている。直径間の関係はＤ＞ｄである。図に見られるように、成形品のアンダーカットは明瞭であり、この例では、直径比は約２：３である。他の比率も、本開示の主題の教示によって想定されることが理解されるであろう。本例は半球を示しているが、他の球セクターも、本開示の主題に従い、１つまたは複数の開口部とともに成形でき、また、他の形状、例えば、ほぼ中空の楕円体、中空多角形、その面の１つに開口部を有し、その開口部の幅が物品の空洞の最大幅部分の幅より狭い、すなわち、ほぼ明瞭なアンダーカットを有する中空立方体、も本開示の主題の一部としてさらに想定されることもさらに理解されるであろう。
【００３０】
図２および図３は、本開示の主題の一例に従い、一般に２００で指定される射出成形型を示す。射出成形型２００は、型ベース２２０および型カバー２３０を含み、注入ポート２３２がカバー２３０のほぼ中央に延在する。型カバー２３０は、注入される品１００の外表面Ｏの底面部１２０の形状に対応する空洞２３４を含み、図６Ｂで最も良く見られる。型ベースおよび型カバーは、ベース型から延出しているロックピンＰ（図５に見られる）によって係合可能である。図２および図３は、その第１の操作可能位置における射出成形型を示しており、その位置にある間に、物品１００が注入される（物品は、図３において、コアシステムの上にその一方の側から延出し、型ベース空洞および型カバー空洞によってその外表面から囲まれ、従って、その外表面を画定する、薄い暗線として見られる）。
【００３１】
型ベース２２０は、上面部２４０（図６Ａおよび図７Ａおよび図７Ｂにおいて最も良く見られる）および底面部２５０（図８Ｂにおいても見られる）を含む。ベース型の上面部は、複数の半径方向摺動型セグメント２４２を含み、図３で、摺動型セグメント２４２が、物品１００の外表面に対応する空洞２６０（図７Ａにおいて見られる）を一緒に形成するそれらの第１の位置において見られ、この例では、カバー型２３０の空洞２３４をさらに補完する。物品１００は湾曲した外側を有しているので、物品１００の外壁Ｏの凸形状に適合するために、摺動型セグメントの内表面が凹形／アーチ状であることが分かる。摺動型セグメント２４２は、矢印「ａ」によって示されるように、型の中心軸Ｘに関して半径方向に摺動するように構成されており、さらに、図７Ａでそれらの第１の操作位置において、また図７Ｂおよび図８Ａで第２の操作位置において見られ、そこで、型セグメント２４２は軸Ｘから変位される。
【００３２】
ベース型２２０の中心部は、コアピン２８０およびコアピン２８０の周囲に延在する複数のコアセグメント２７０（図３の断面では、２７０Ａおよび２７０Ｂで指定された２つだけが見られるが、システムは、図１０Ａおよび図１１に見られるように、８つのコアセグメントを含む）を含む動的コアシステム２６０を含む。コアシステムの外表面は、物品の空洞の内面形状および内表面Ｓに対応する。この例によれば、物品１００の空洞の最大直径Ｄは、コアシステムの最大直径に対応し、それによって実質的に画定され、開口部の直径ｄは、対応する位置におけるコアシステムの直径によって実質的に確定される。この例では、コアシステム２６０の中心軸は、型２００の中心縦軸と同じ長さに延在する。
【００３３】
コアピン２８０は、縦方向に延在する支持部材２８５によって支持され、コアピンの軸方向変位のためにさらに構成される。コアピン２８０は、その表面上に延在する側溝２８２をさらに備え（図９Ａおよび図９Ｂにおいて最も良く見られる）、溝２８２は、以下で説明するように、軸方向に引き込まれた構成時にコアピン２８０の位置を維持するためにベース型の底面部に延在する、側面に沿って延在する支持２８４を係合するように構成される。コアピン表面の溝は、任意選択であり、本開示の主題の例によれば、コアピンは滑らかにできることが理解されるであろう。コアピン２８０の上端２８１は、この例では、物品１００の内空洞Ｃの底面側に対応する。コアピンの上端２８１の形状は、任意の所望の形状を有するように異なり得ることが理解されるであろう。
【００３４】
コアセグメント２７０は、少なくとも半径方向に変位可能であり、本例では２つのグループの変動セグメントを含み、各グループは４つのセグメントを含み、図１１および図１２Ａにおいて最も良く見られる。図示例では、両方のグループは、半径方向変位のために構成され、グループの１つは、軸Ｘに沿った軸方向変位のためにさらに構成される。第１の完全に配置された構成においてコアピン２８０をほぼ完全に係合するために、コアセグメントには、例えば、溝２８２を通して、コアピンを係合するように構成された係合部材（図示せず）が備わっている。セグメントは、任意のかかる係合部材を欠き得ることが理解されるであろう。コアセグメント２７０の第１のグループは、４つの半径方向に変位可能なセグメント２７０Ａ、２７０Ｂ、２７０Ｃおよび２７０Ｄを含む。これらのセグメントは、中心軸Ｘとほぼ垂直な方向に、型ベースの上面上で半径方向に移動するように構成される。第２のグループの４つのセグメント２７０Ａ’、２７０Ｂ’、２７０Ｃ’および２７０Ｄ’（例えば、図９Ａおよび図９Ｂにおいて、ならびに図１２Ａにおいて最も良く見られる）は各々、それぞれ、移動部材２８７Ａ、２８７Ｂ、２８７Ｃおよび２８７Ｄを通じて支持される。移動部材２８７は、さらに説明するように、コアセグメント２７０’を半径方向および軸方向に移動するように構成される。コアセグメントは任意の数のセグメント（１＋ｎ）を含むことができ、セグメントは、半径方向変位のために構成され、さらに任意選択で１つまたは複数のセグメントの軸方向変位のために構成されることが理解されるであろう。
【００３５】
型ベースの底面部は、周囲に延在するスライダ２９０Ａおよび２９０Ｂを含む（現在の例では２つであるが、任意の他の構成のかかるスライダが、同様の機能を実行すれば、利用できる）。支持摺動部は、コアピン２８０の少なくとも一部の下に延在するように構成されて、その意図しない変位を防ぎ、さらに、コアピン２８０が支持部材２８５を通じて型ベースの底面部２５０に向かって軸方向に引き込めるように、矢印「ｂ」に沿って摺動自在に変位されるように構成される。引込みの軸方向は、中心軸Ｘと平行である。
【００３６】
操作時には、型を、図３に見られるような第１の操作可能位置に、また、型カバーを型ベースに連結して、溶融材料、例えば、プラスチックがポート２３２（本発明に従い、ポート数は変わり得る）から型に注入される。この第１の操作可能位置では、動的コアシステムがその第１の完全に配置された位置にあり、その位置で、コアピンが型穴内に完全に延在し、その周囲にコアセグメントが延在している。コアピンは、スライダ２９０および引込み可能な支持部材２８５によって支持されてこの位置で維持される。型セグメント２４２は、カバー型の空洞と一緒に空洞を形成するように延在して、注入される品の外形に適合する。溶融材料が完全に注入されると、図４に見られるように、型カバーがベース型から取り外される。物品を型から取り外すために、型摺動セグメント間の直径ｔが、物品の最大直径と一致する最大直径Ｔまで十分に拡げられて、型セグメントによって構成された型穴の縁部を通過できるようにする（図５において、および物品なしでこの拡大を示している図７Ｂにおいて見られる）。直径ｔは、摺動部材の縁部の間隔を空けることによって拡げられ、その間隔は図７Ｂにおいてｙで示されている。物品が中空で、その内表面Ｓの対向する点間の直径Ｄが、物品の開口部ｄの直径よりも実質的に広い、すなわち、明瞭なアンダーカットを有するので、物品はこの段階で取り外すことができない。物品の取り外しを容易にするために、コアシステムが第２の引込み位置に動かされる。
【００３７】
図８Ａ〜図１２Ａは、本開示の主題の一例に従ったコアシステム作動の段階を連続して示す。コアピン２８０の引込みを容易にするため、スライダ２９０Ａおよび２９０Ｂがコアピンから半径方向に離されて（図８Ｂ）、コアピン支持部材２８５が引き込まれ、コアピン２８０をコアシステム２６０から軸方向に、また、図８Ｃおよび図９Ｂに見られるように、型ベース２４０の底面部２５０へ、中心軸Ｘと平行に、矢印Ｆの方向に移動する（図９Ａおよび図９Ｂでは、型ベースは、コアシステムの可視化を容易にするために、型の部品が取り除かれたことに留意すべきである）。コアピン２８０が引き込まれると、図１０Ａにおいてさらに見られるように、それによって占められていた空間が今や空になっている。コアシステム２６０の残りを引込み位置に移動するために、コアセグメントの第１のグループが、図１０Ａの矢印ｚによって示されるように、中心軸に向かって半径方向に移動して、このグループのコアセグメント２７０が、図１１に見られるように、互いに接触する。この段階で、物品は、コアセグメント２７０’の第２のグループによってその第１の位置にまだ保持されている（物品は図示せず）。コアセグメント２７０’の第２のグループは、この例に従い、中心軸に向かって半径方向に、さらに、コアセグメントの第２のグループを第１のグループ２７０より高くするために軸方向に、同時に移動される（図１２Ｂにおいて最も良く見られ、図中、ベース型は説明を容易にするためにその部品の一部が取り除かれた）。この動きは、半径方向に摺動可能な支持ピストン（例えば、空気圧ピストン）の動きを通じて実現され、支持ピストンは、セグメントを半径方向に、同時に軸方向に、セグメント２７０の第１のグループの上に動かす。第２のグループ２７０’のこの移動は、コアセグメント２７０’の幅、従って、コアシステム２６０の幅を、開口部の幅と等しいか、またはそれより狭い幅まで狭めて、物品を型から取り外すのを容易にする。図１２Ｃは、コアセグメントの第２のグループ２７０’の矢印Ｗの方向への移動の段階を連続して示しており、それは、上で説明した、矢印と反対方向である。
【００３８】
本開示の主題、および、とりわけコアシステムについて、射出成形に関して説明し図解してきたが、その多くの詳細は例示のために提示しており、本開示の主題は、追加の変形が可能であり、説明したある詳細は、本開示の主題の基本原理から逸脱することなく変更できることが当業者には明らかであろう。動的コアシステムは、射出成形だけでなく、型内および型／コアの周囲で成形するために成形材料を必要とする、ダイカスト、ブロー成形、ローター成形、および他の同様の成形プロセスでも使用できることも当業者には明らかであろう。型およびコアシステムは、本開示の主題の原理から逸脱することなく、変更すべきところは変更して、プロセスに適合できる。
【図１】
0006613301.tif 000002
【図２】
0006613301.tif 000003
【図３】
0006613301.tif 000004
【図４】
0006613301.tif 000005
【図５】
0006613301.tif 000006
【図６Ａ】
0006613301.tif 000007
【図６Ｂ】
0006613301.tif 000008
【図７Ａ】
0006613301.tif 000009
【図７Ｂ】
0006613301.tif 000010
【図８Ａ】
0006613301.tif 000011
【図８Ｂ】
0006613301.tif 000012
【図８Ｃ】
0006613301.tif 000013
【図９Ａ】
0006613301.tif 000014
【図９Ｂ】
0006613301.tif 000015
【図１０】
0006613301.tif 000016
【図１１】
0006613301.tif 000017
【図１２Ａ】
0006613301.tif 000018
【図１２Ｂ】
0006613301.tif 000019
【図１２Ｃ】
0006613301.tif 000020